(57)【要約】 【課題】コンテンツを適切に消去できる記録再生装置を提供する。【解決手段】記録再生装置２００のＣＰＵ２９０は、利用者により自動録画予約されたコンテンツをＨＤＤ２７０に録画する処理を記録部２５１に実施させるとともに、このコンテンツを自動消去するまでの残存時間を設定する。ＣＰＵ２９０は、期間Ｔが経過するとコンテンツへのアクセス処理が実施されたか否かを判断し、実施されたと判断した場合に残存時間に追加時間Ｇを加え、実施査定ないと判断した場合に残存時間から期間Ｔを減じる処理をする。ＣＰＵ２９０は、期間Ｔ毎に上述した処理を実施して、残存時間が０以下になったことを認識すると、このコンテンツをＨＤＤ２７０から自動消去する。【選択図】  図１
2005346827.tif 000002
【特許請求の範囲】
【請求項１】
記憶手段に記憶されたデータを消去するデータ消去手段に前記データを消去させる制御をする処理制御装置であって、
前記データが前記記憶手段に記憶された日時に関するデータ記憶日時情報を取得する記憶日時取得手段と、
前記データが前記記憶手段に記憶されている期間に関するデータ保存期間情報を取得する保存期間取得手段と、
前記データの処理を実施する処理実施手段による前記データの処理状況を認識する処理状況認識手段と、
前記処理状況に基づいて前記データ保存期間情報の期間を長く設定する保存期間変更手段と、
現在日時に関する現在日時情報を取得し、前記データ記憶日時情報の日時からの経過時間が前記データ保存期間情報の期間以上となったことを認識すると、このデータ記憶日時情報に対応する前記データを前記データ消去手段により消去させる制御をする消去制御手段と、
を具備したことを特徴とした処理制御装置。
【請求項２】
請求項１に記載の処理制御装置であって、
前記保存期間変更手段は、前記処理状況に基づいて前記データ保存期間情報の期間に所定期間を加算する
ことを特徴とした処理制御装置。
【請求項３】
請求項１に記載の処理制御装置であって、
前記保存期間取得手段は、前記データ消去手段に前記データを消去させる日時に関するデータ消去日時情報を前記データ保存期間情報として取得し、
前記保存期間変更手段は、前記処理状況に基づいて前記データ消去日時情報の日時を後の日時に設定し、
前記消去制御手段は、前記取得した現在日時情報の現在日時が前記データ消去日時情報の日時を経過したことを認識すると、前記データを前記データ消去手段により消去させる制御をする
ことを特徴とした処理制御装置。
【請求項４】
請求項１ないし請求項３のいずれかに記載の処理制御装置であって、
前記保存期間変更手段は、前記データ保存期間情報の期間を前記データの処理回数に応じて長く設定する
ことを特徴とした処理制御装置。
【請求項５】
請求項１ないし請求項４のいずれかに記載の処理制御装置であって、
前記保存期間変更手段は、前記データ保存期間情報の期間を前記データの処理内容に応じて長く設定する
ことを特徴とした処理制御装置。
【請求項６】
請求項１ないし請求項５のいずれかに記載の処理制御装置であって、
前記保存期間変更手段は、前記データの処理時間が所定の時間である変更基準時間以上であることを認識すると、前記データ保存期間情報の期間を長く設定する
ことを特徴とした処理制御装置。
【請求項７】
請求項１ないし請求項６のいずれかに記載の処理制御装置であって、
前記保存期間変更手段は、前記データ保存期間情報の期間を前記データの処理時間に応じて長く設定する
ことを特徴とした処理制御装置。
【請求項８】
請求項１ないし請求項７のいずれかに記載の処理制御装置であって、
前記データ保存期間情報の期間を報知手段で報知させる報知制御手段を具備した
ことを特徴とした処理制御装置。
【請求項９】
請求項１ないし請求項８のいずれかに記載の処理制御装置であって、
前記データは、一連のデータ列構造であって、
前記保存期間変更手段は、前記データの前記データ列構造における先端部分から後端部分までの処理であるデータ全体処理が実施されたことを認識すると、前記データ保存期間情報の期間を前記データ全体処理以外の処理が実施されたことを認識した場合よりも短い期間に設定する
ことを特徴とした処理制御装置。
【請求項１０】
請求項１ないし請求項８のいずれかに記載の処理制御装置であって、
前記データは、一連のデータ列構造であって、
前記消去制御手段は、前記データの前記データ列構造における先端部分から後端部分までの処理が実施されたことを認識すると、前記データを前記データ消去手段で消去させない制御をする
ことを特徴とした処理制御装置。
【請求項１１】
請求項１ないし請求項１０のいずれかに記載の処理制御装置であって、
前記消去制御手段は、前記データの処理回数が所定回数以上であることを認識すると、前記データを前記データ消去手段で消去させない制御をする
ことを特徴とした処理制御装置。
【請求項１２】
請求項１ないし請求項１１のいずれかに記載の処理制御装置であって、
前記消去制御手段は、前記データの処理が所定の処理であることを認識すると、前記データを前記データ消去手段で消去させない制御をする
ことを特徴とした処理制御装置。
【請求項１３】
請求項１ないし請求項１２のいずれかに記載の処理制御装置であって、
前記消去制御手段は、前記データの処理時間が所定の時間である非消去基準時間以上であることを認識すると、前記データを前記データ消去手段で消去させない制御をする
ことを特徴とした処理制御装置。
【請求項１４】
請求項１ないし請求項１３のいずれかに記載の処理制御装置と、
前記データを取得して前記記憶手段に記憶させるデータ記憶制御手段と、
前記データ消去手段と、
前記処理実施手段と、
現在日時を計時する計時手段と、
を具備したことを特徴としたデータ処理装置。
【請求項１５】
請求項１４に記載のデータ処理装置であって、
文字情報を取得する文字情報取得手段と、
複数の前記データにそれぞれ関連する文字情報を有したデータ関連情報を取得するデータ関連情報取得手段と、
を具備し、
前記データ記憶制御手段は、前記文字情報取得手段で取得した文字情報に関連する文字情報を前記データ関連情報から検索し、この検索した文字情報に関連する前記データを取得して前記記憶手段に記憶させる
ことを特徴としたデータ処理装置。
【請求項１６】
請求項１４または請求項１５に記載のデータ処理装置であって、
特定のデータを前記記憶手段に記憶させる旨を要求する特定データ記憶要求情報を取得する記憶要求情報取得手段を具備し、
データ記憶制御手段は、前記特定データ記憶要求情報に基づいて前記特定のデータを取得して前記記憶手段に記憶させる
ことを特徴としたデータ処理装置。
【請求項１７】
請求項１６に記載のデータ処理装置であって、
前記消去制御手段は、前記記憶手段に記憶された前記特定のデータを前記データ消去手段で消去させない制御をする
ことを特徴としたデータ処理装置。
【請求項１８】
請求項１７に記載のデータ処理装置であって、
前記データ記憶制御手段は、前記データを前記記憶手段に記憶させる際に、このデータが前記特定のデータか否かを示すデータ属性情報を関連付けて記憶させ、
前記消去制御手段は、前記データ属性情報に基づいて前記記憶手段に記憶される前記データが前記特定のデータであることを認識する
ことを特徴としたデータ処理装置。
【請求項１９】
演算手段により、記憶手段に記憶されたデータを消去するデータ消去手段に前記データを消去させる制御をする処理制御方法であって、
前記演算手段は、
前記データが前記記憶手段に記憶された日時に関するデータ記憶日時情報を取得し、
前記データが前記記憶手段に記憶されている期間に関するデータ保存期間情報を取得し、
前記データの処理を実施する処理実施手段による前記データの処理状況を認識し、
前記処理状況に基づいて前記データ保存期間情報の期間を長く設定し、
現在日時に関する現在日時情報を取得し、前記データ記憶日時情報の日時からの経過時間が前記データ保存期間情報の期間以上となったことを認識すると、このデータ記憶日時情報に対応する前記データを前記データ消去手段により消去させる制御をする
ことを特徴とする処理制御方法。
【請求項２０】
演算手段を、請求項１ないし請求項１３のいずれかに記載の処理制御装置として機能させる
ことを特徴とした処理制御プログラム。
【請求項２１】
請求項１９に記載の処理制御方法を演算手段に実行させる
ことを特徴とした処理制御プログラム。
【請求項２２】
請求項２０または請求項２１に記載の処理制御プログラムが演算手段にて読取可能に記録された
ことを特徴とした処理制御プログラムを記録した記録媒体。
【発明の詳細な説明】
【技術分野】
【０００１】
本発明は、記憶手段に記憶されたデータを消去する制御をする処理制御装置、データ処理装置、処理制御方法、そのプログラム、および、そのプログラムを記録した記録媒体に関する。
【背景技術】
【０００２】
従来、例えばテレビ番組などのコンテンツを記録して再生するとともに、この記録したコンテンツを自動消去する記録再生装置が知られている（例えば、特許文献１および特許文献２参照）。
【０００３】
特許文献１に記載のものは、利用者により所望の番組の録画データの保存期間が入力されると、この入力された保存期間を設定する。そして、録画終了年月日時刻から現在の年月日時刻までの期間を算出し、この期間が保存期間を超える録画データを自動消去する。
【０００４】
また、特許文献２に記載のものは、映像データを録画すると、この映像データを優先順位２に設定する。また、映像データを再生すると、この映像データを優先順位３に設定する。さらに、映像データを再生すると、利用者の入力操作に基づいて、この映像データを消去不可を示す優先順位１に設定する。そして、任意の映像データの録画時に、ハードディスクの空き領域がなくなった場合には、優先順位３の映像データの録画領域に上書きする形で映像データの録画を継続する。
【０００５】
【特許文献１】特開２００２−１６５１６２号公報（第３頁右欄−第７頁右欄）
【特許文献２】特開２００２−３０５７０６号公報（第５頁左欄−第８頁右欄）
【発明の開示】
【発明が解決しようとする課題】
【０００６】
しかしながら、上述した特許文献１に記載のような記録再生装置では、録画データ毎に保存期間すなわち自動消去するまでの期間を設定する必要がある。このため、この保存期間の設定入力が煩わしいという問題が一例として挙げられる。また、上述したような特許文献２に記載のような記録再生装置では、映像データを再生した際に消去不可を示す優先順位１に設定しないと、他の映像データの上書きを許容する優先順位３に設定される。このため、例えば嗜好に合う映像データの予期せぬ自動消去を防ぐためには優先順位１に設定する必要があり、この設定入力が煩わしいという問題が一例として挙げられる。
【０００７】
本発明は、このような点に鑑みて、データを適切に消去可能な処理制御装置、データ処理装置、処理制御方法、そのプログラム、および、そのプログラムを記録した記録媒体を提供することを１つの目的とする。
【課題を解決するための手段】
【０００８】
請求項１に記載の発明は、記憶手段に記憶されたデータを消去するデータ消去手段に前記データを消去させる制御をする処理制御装置であって、前記データが前記記憶手段に記憶された日時に関するデータ記憶日時情報を取得する記憶日時取得手段と、前記データが前記記憶手段に記憶されている期間に関するデータ保存期間情報を取得する保存期間取得手段と、前記データの処理を実施する処理実施手段による前記データの処理状況を認識する処理状況認識手段と、前記処理状況に基づいて前記データ保存期間情報の期間を長く設定する保存期間変更手段と、現在日時に関する現在日時情報を取得し、前記データ記憶日時情報の日時からの経過時間が前記データ保存期間情報の期間以上となったことを認識すると、このデータ記憶日時情報に対応する前記データを前記データ消去手段により消去させる制御をする消去制御手段と、を具備したことを特徴とした処理制御装置である。
【０００９】
請求項１４に記載の発明は、請求項１ないし請求項１３のいずれかに記載の処理制御装置と、前記データを取得して前記記憶手段に記憶させるデータ記憶制御手段と、前記データ消去手段と、前記処理実施手段と、現在日時を計時する計時手段と、を具備したことを特徴としたデータ処理装置である。
【００１０】
請求項１９に記載の発明は、演算手段により、記憶手段に記憶されたデータを消去するデータ消去手段に前記データを消去させる制御をする処理制御方法であって、前記演算手段は、前記データが前記記憶手段に記憶された日時に関するデータ記憶日時情報を取得し、前記データが前記記憶手段に記憶されている期間に関するデータ保存期間情報を取得し、前記データの処理を実施する処理実施手段による前記データの処理状況を認識し、前記処理状況に基づいて前記データ保存期間情報の期間を長く設定し、現在日時に関する現在日時情報を取得し、前記データ記憶日時情報の日時からの経過時間が前記データ保存期間情報の期間以上となったことを認識すると、このデータ記憶日時情報に対応する前記データを前記データ消去手段により消去させる制御をすることを特徴とする処理制御方法である。
【００１１】
請求項２０に記載の発明は、演算手段を、請求項１ないし請求項１３のいずれかに記載の処理制御装置として機能させることを特徴とした処理制御プログラムである。
【００１２】
請求項２１に記載の発明は、請求項１９に記載の処理制御方法を演算手段に実行させることを特徴とした処理制御プログラムである。
【００１３】
請求項２２に記載の発明は、請求項２０または請求項２１に記載の処理制御プログラムが演算手段にて読取可能に記録されたことを特徴とした処理制御プログラムを記録した記録媒体である。
【発明を実施するための最良の形態】
【００１４】
以下に、本発明の一実施の形態を図面に基づいて説明する。本実施の形態では、本発明の処理制御装置を有するデータ処理装置を備えた記録再生装置を例示して説明するが、これに限らず、記憶手段に記憶されたデータを消去するいずれの構成でも適用できる。なお、本実施の形態において、例えばテレビ番組などのコンテンツの音声データ、映像データ、データ放送用データなどを有するデータであるコンテンツデータを記録する処理を、コンテンツを録画する処理と適宜称して説明する。また、利用者により設定入力される録画開始日時や録画終了日時あるいはチャンネルなどが記載された特定データ記憶要求情報としての手動録画予約要求情報を取得する。そして、この手動録画予約要求情報の各種事項により特定される特定のコンテンツの録画を予約する処理を、手動録画予約処理と適宜称して説明する。さらに、手動録画予約に基づいて実施する録画処理を、手動予約録画処理と適宜称して説明する。また、利用者により設定入力される文字情報としてのキーワードが記載された自動録画予約要求情報を取得する。そして、例えば後述するデータ関連情報としてのＥＰＧ（Electric Program Guide）データを参照し、自動録画予約要求情報のキーワードに関連するコンテンツの録画を予約する処理を、自動録画予約処理と適宜称して説明する。さらに、自動録画予約に基づいて実施する録画処理を、自動予約録画処理と適宜称して説明する。図１は、本実施の形態におけるコンテンツ記録再生システムの概略構成を示すブロック図である。図２は、録画予約リスト情報の概略構成を示す模式図である。図３は、コンテンツ管理リスト情報の概略構成を示す模式図である。図４は、記録再生装置を構成するＣＰＵ２９０の概略構成を示す模式図である。
【００１５】
〔コンテンツ記録再生システムの構成〕
図１において、１００はコンテンツ記録再生システム（以下、記録再生システムと称す）であり、例えばテレビ番組などのコンテンツのコンテンツデータを記録したり、記録したコンテンツデータを再生するシステムである。そして、記録再生システム１００は、記録再生装置２００と、出力装置３００と、を備えている。
【００１６】
出力装置３００は、例えばパーソナルコンピュータ、テレビ、携帯電話、ＰＤＡ（Personal Digital Assistant）などが例示できる。この出力装置３００は、記録再生装置２００から入力されるコンテンツを受信して出力する。そして、この出力装置３００としては、例えば、音声データを音声として出力させる構成、あるいは、映像データ、放送用データ、ＥＰＧデータ、合成データなどを画面表示させる構成、さらには図１に示すように、音声出力する構成である音声出力部３１０と画面表示させる構成である表示部３２０の双方を備えた構成など、いずれの構成が適用できる。
【００１７】
記録再生装置２００は、ＴＳ（Transport Stream）として配信される音声データ、映像データ、データ放送用データなどを有するコンテンツデータを取得して記録させるとともに、出力装置３００で出力させる処理をする。また、記録再生装置２００は、記録させたコンテンツデータを適宜再生して出力装置３００で出力させる処理をする。さらに、記録したコンテンツデータを適宜自動消去する。そして、この記録再生装置２００は、通信手段２１０と、デマルチプレクサ（Demultiplexer；Ｄｅｍｕｘ）２２０と、デコーダ２３０と、オンスクリーンディスプレイ（On Screen Display；ＯＳＤ）２４０と、記録再生処理手段２５０と、入力手段２６０と、記憶手段としてのハードディスク（Hard Disk Drive；ＨＤＤ）２７０と、メモリ２８０と、演算手段としてのＣＰＵ（Central Processing Unit）２９０と、などを備えている。
【００１８】
通信手段２１０は、外部から入力されるコンテンツデータを取得したり、このコンテンツデータを外部へ適宜出力する。そして、この通信手段２１０としては、例えば、地上波デジタル放送や衛星デジタル放送などの放送波を受信する構成、あるいは、デジタル信号として送信されるＴＳや後述するパーシャルＴＳなどを取得して記録再生装置２００内外へ送出する構成、さらには、図１に示すように、放送波を取得するアンテナ２１１Ａを有する構成であるネットワークインターフェースモジュール（Network Interface Module；ＮＩＭ）２１１およびＴＳやパーシャルＴＳを取得して適宜処理する構成であるハイスピードインターフェース（High Speed Interface；ＨＳＩ）２１２の双方を備えた構成など、いずれの構成が適用できる。
【００１９】
Ｄｅｍｕｘ２２０は、ＴＳを取得して、このＴＳからＴＳパケットを適宜分離して出力する。このＤｅｍｕｘ２２０には、デコーダ２３０と、記録再生処理手段２５０と、ＣＰＵ２９０と、などが接続されている。Ｄｅｍｕｘ２２０は、ＣＰＵ２９０の制御により、ＮＩＭ２１１やＨＳＩ２１２からＴＳを適宜取得する。さらに、このＴＳから選択されているコンテンツに対応した各種データのＴＳパケットを取得する。具体的には、音声データが組み込まれたＴＳパケット（以下、音声パケットと称す）と、映像データが組み込まれたＴＳパケット（以下、映像パケットと称す）と、データ放送用データまたはＥＰＧデータなどが組み込まれたＴＳパケット（以下、データパケットと称す）と、を取得する。そして、Ｄｅｍｕｘ２２０は、これら取得した音声パケットと、映像パケットと、データパケットと、をデコーダ２３０へ出力する。
【００２０】
ここで、ＥＰＧデータは、ＮＩＭ２１１で取得可能な各ＴＳのテレビ番組などのコンテンツに関する情報が、例えばＢＭＬ（Broadcast Markup Language）やＸＭＬ（eXtensible Markup Language）などのテキスト形式で記載されたデータである。具体的には、ＥＰＧデータは、番組名、番組の内容などに関する番組記述、放送開始日時、番組時間の長さ、チャンネル番号、ジャンル、シリーズ名などの情報が、１つのデータとして構成されたテーブル構造である。
【００２１】
また、Ｄｅｍｕｘ２２０は、ＣＰＵ２９０の制御により、取得したＴＳから選択されたコンテンツに対応した各ＴＳパケットを取得すると、これら各ＴＳパケットを一連のデータ列構造のＴＳ、すなわちパーシャルＴＳに再構成する。そして、このパーシャルＴＳを記録再生処理手段２５０へ出力する。さらに、Ｄｅｍｕｘ２２０は、ＣＰＵ２９０の制御により、ＨＳＩ２１２や記録再生処理手段２５０からパーシャルＴＳを適宜取得する。そして、このパーシャルＴＳを、音声パケットと、映像パケットと、データパケットと、に分離してデコーダ２３０へ出力する。
【００２２】
デコーダ２３０は、ＯＳＤ２４０と、ＣＰＵ２９０と、出力装置３００と、などに接続されている。このデコーダ２３０は、Ｄｅｍｕｘ２２０から取得した各パケットを適宜復調し、ＯＳＤ２４０や出力装置３００へ適宜出力する。このデコーダ２３０としては、例えば、音声データを復調する構成、映像データを復調する構成、データ放送用データやＥＰＧデータなどを復調する構成、さらには、これらの構成を組み合わせた構成、そしてさらには、図１に示すように、音声、映像、データを復調する構成であるオーディオデコーダ（Audio Decoder；ＡＤｅｃ）２３１、ビデオデコーダ（Video Decoder；ＶＤｅｃ）２３２、および、データデコーダ（Data Decoder；ＤＤｅｃ）２３３を備えた構成など、いずれの構成が適用できる。
【００２３】
ＯＳＤ２４０は、ＣＰＵ２９０と、出力装置３００の表示部３２０と、などに接続されている。このＯＳＤ２４０は、ＣＰＵ２９０の制御により、ＶＤｅｃ２３２から映像データを、ＤＤｅｃ２３３からデータ放送用データやＥＰＧデータなどを適宜取得し、例えば映像、字幕、番組表などを適宜選択的に重畳あるいは並べて表示させる合成データを生成する。この合成データは、出力装置３００の表示部３２０へ送信され、適宜出力される。なお、このＯＳＤ２４０を有しない構成としてもよい。
【００２４】
記録再生処理手段２５０は、ＨＤＤ２７０と、ＣＰＵ２９０と、などに接続されている。この記録再生処理手段２５０は、Ｄｅｍｕｘ２２０からパーシャルＴＳを適宜取得して、ＨＤＤ２７０へ記憶させる。また、ＨＤＤ２７０へ記憶させたパーシャルＴＳを適宜取得して、ＨＳＩ２１２やＤｅｍｕｘ２２０へ出力する。そして、この記録再生処理手段２５０は、記録部２５１と、再生部２５２と、を備えている。
【００２５】
記録部２５１は、Ｄｅｍｕｘ２２０からのパーシャルＴＳをＨＤＤ２７０へ記憶させる。そして、この記録部２５１は、バッファ２５１Ａと、記録処理部２５１Ｂと、などを備えている。バッファ２５１Ａは、Ｄｅｍｕｘ２２０からのパーシャルＴＳを一時的に記憶する。記録処理部２５１Ｂは、ＣＰＵ２９０の制御により、Ｄｅｍｕｘ２２０からパーシャルＴＳを取得し、バッファ２５１Ａに適宜読み出し可能に記憶させる。そして、バッファ２５１Ａに記憶させたパーシャルＴＳを適宜読み出して、ＨＤＤ２７０へ出力する。
【００２６】
再生部２５２は、ＨＤＤ２７０へ記憶させたパーシャルＴＳをＨＳＩ２１２やＤｅｍｕｘ２２０へ適宜出力する。そして、この再生部２５２は、バッファ２５２Ａと、再生処理部２５２Ｂと、などを備えている。バッファ２５２Ａは、ＨＤＤ２７０からのパーシャルＴＳを一時的に記憶する。再生処理部２５２Ｂは、ＣＰＵ２９０の制御により、ＨＤＤ２７０からパーシャルＴＳを取得し、バッファ２５２Ａに適宜読み出し可能に記憶させる。そして、バッファ２５２Ａに記憶させたパーシャルＴＳを適宜読み出して、ＨＳＩ２１２やＤｅｍｕｘ２２０へ出力する。
【００２７】
入力手段２６０は、ＣＰＵ２９０などに接続されている。この入力手段２６０は、図示しないケース体の例えば正面に臨んで入力操作可能に配設された図示しない各種操作ボタンや操作つまみなどを有している。この操作ボタンや操作つまみの入力操作の内容としては、例えば記録再生装置２００の動作内容の設定などの設定事項である。具体的には、コンテンツの録画や再生に関する設定、ＮＩＭ２１２で受信するＴＳの設定などが例示できる。そして、入力手段２６０は、設定事項の入力操作により、各種情報を操作信号としてＣＰＵ２９０へ送信して設定させる。ここで、入力手段２６０としては、例えば図示しないリモートコントローラ（以下、リモコンと称す）より赤外線を介して送信される各種情報を受信して、この各種情報を操作信号としてＣＰＵ２９０へ送信するリモコン受光部を備えた構成などとしてもよい。
【００２８】
ＨＤＤ２７０は、ＣＰＵ２９０などに接続されている。このＨＤＤ２７０は、ＡＴＡ（AT Attachment）インターフェースにより制御される。なお、ここではＨＤＤ２７０がＡＴＡインターフェースにより制御される構成について例示するが、ＩＤＥ（Integrated Drive Electronics）インターフェースやＳＣＳＩ（Small Computer System Interface）インターフェースなどで制御される構成としてもよい。そして、ＨＤＤ２７０は、記録部２５１から入力されるコンテンツのパーシャルＴＳ、すなわちコンテンツデータなどを適宜読み出し可能に記憶する。また、ＨＤＤ２７０は、ＮＩＭ２１１で取得した例えば最新のＥＰＧデータを適宜読み出し可能に記憶する。なお、ＨＤＤ２７０の代わりに、ＤＶＤ（Digital Versatile Disc）などの光ディスク、光磁気ディスク、メモリカードなどの着脱可能、さらには固定のメモリなど、各種記録媒体に各種情報を読み出し可能に記憶するドライブやドライバなどを備えた構成、さらにはそれらを複数組み合わせた構成などとしてもよい。
【００２９】
メモリ２８０は、ＮＩＭ２１１から出力されるＴＳから所望のコンテンツデータを取得して記録する際や、記録したコンテンツデータを再生する際に必要な各種データなどを適宜読み出し可能に記憶する。また、メモリ２８０は、図２に示すような録画予約リスト情報５００と、図３に示すようなコンテンツ管理リスト情報６００と、などを適宜読み出し可能に記憶する。
【００３０】
録画予約リスト情報５００は、手動予約録画や自動予約録画のリストに関する情報である。この録画予約リスト情報５００は、予約数情報５１０と、少なくとも１つの予約情報５２０と、などが１つのデータ構造として関連付けられて構成されている。
【００３１】
予約数情報５１０は、予約情報５２０の総数に関する情報である。この予約数情報５１０は、ＣＰＵ２９０による手動録画予約や自動録画予約が追加される設定により１だけ加算され、手動録画予約や自動録画予約に基づいた録画が終了した際などに１だけ減算される。
【００３２】
予約情報５２０は、手動録画予約または自動録画予約に関する情報である。この予約情報５２０は、ＣＰＵ２９０により、手動録画予約や自動録画予約が設定された際に録画予約リスト情報５００に組み込まれ、手動録画予約や自動録画予約に基づいた録画が終了した際などに録画予約リスト情報５００から削除される。そして、予約情報５２０は、録画基本情報５２１と、自動録画予約フラグ５２２と、などが１つのデータ構造として関連付けられて構成されている。
【００３３】
録画基本情報５２１は、手動予約録画処理や自動予約録画処理を実施するために必要な各種情報である。具体的には、録画基本情報５２１は、録画開始日時と、録画終了日時と、チャンネル番号と、などが１つのデータ構造として関連付けられて構成されている。そして、この録画基本情報５２１は、ＣＰＵ２９０により適宜変更される。
【００３４】
自動録画予約フラグ５２２は、録画基本情報５２１に基づく録画処理が自動予約録画処理か否かを示すフラグ情報である。具体的には、自動録画予約フラグ５２２が「０」であれば自動予約録画処理ではなく手動録画予約処理であることを示し、「１」であれば自動録画予約処理であることを示す。
【００３５】
コンテンツ管理リスト情報６００は、ＨＤＤ２７０に記録されたコンテンツに対応する情報のリストに関する情報である。このコンテンツ管理リスト情報６００は、少なくとも１つのコンテンツ管理情報６１０が１つのデータ構造として関連付けられて構成されている。
【００３６】
コンテンツ管理情報６１０は、ＣＰＵ２９０により、ＨＤＤ２７０にコンテンツが記録された際にコンテンツ管理リスト情報６００に組み込まれ、ＨＤＤ２７０からコンテンツが消去された際にコンテンツ管理リスト情報６００から削除される。そして、コンテンツ管理情報６１０は、コンテンツナンバ６１１と、データ属性情報としての自動消去対象フラグ６１２と、データ保存期間情報としても機能する残存時間情報６１３と、期間計時開始情報６１４と、アクセスフラグ６１５と、アクセス回数情報６１６と、が１つのデータ構造として関連付けられて構成されている。なお、コンテンツ管理情報６１０は、コンテンツナンバ６１１と、自動消去対象フラグ６１２と、が１つのデータ構造として関連付けられて構成される場合もある。
【００３７】
コンテンツナンバ６１１は、ＨＤＤ２７０に記録されたコンテンツに固有に付与された番号に関する情報である。なお、コンテンツナンバ６１１の代わりに、コンテンツに固有に付与された例えば名称などを示す情報を用いる構成などとしてもよい。
【００３８】
自動消去対象フラグ６１２は、コンテンツナンバ６１１により特定されるコンテンツが、ＣＰＵ２９０により自動消去される対象か否かを示すフラグ情報である。具体的には、自動消去対象フラグ６１２が「０」であれば自動消去の対象ではないことを示し、「１」であれば自動消去の対象であることを示す。この自動消去対象フラグ６１２は、ＣＰＵ２９０により適宜再設定される。
【００３９】
残存時間情報６１３は、コンテンツナンバ６１１により特定されるコンテンツを自動消去するまでの残存時間に関する情報である。この残存時間情報６１３は、ＣＰＵ２９０により適宜変更される。
【００４０】
期間計時開始情報６１４は、予め設定された期間Ｔの計時を開始した日時である期間計時開始日時に関する情報である。この期間計時開始情報６１４は、コンテンツナンバ６１１により特定されるコンテンツの録画終了日時に関するデータ記憶日時情報としての録画終了日時情報、または、残存時間情報６１４がＣＰＵ２９０により変更された際の日時に関する変更日時情報である。この期間計時開始情報６１４は、ＣＰＵ２９０により適宜変更される。
【００４１】
アクセスフラグ６１５は、コンテンツナンバ６１１により特定されるコンテンツの再生処理や編集処理などが少なくとも１回は実施されたか否か、すなわちコンテンツへのアクセスが少なくとも１回は実施されたか否かを示すフラグ情報である。具体的には、アクセスフラグ６１５が「０」であればアクセスが１回も実施されていないことを示し、「１」であればアクセスが少なくとも１回は実施されていることを示す。そして、このアクセスフラグ６１５は、ＣＰＵ２９０により適宜再設定される。
【００４２】
アクセス回数情報６１６は、コンテンツナンバ６１１により特定されるコンテンツへのアクセス回数に関する情報である。このアクセス回数情報６１６は、ＣＰＵ２９０により適宜変更される。
【００４３】
さらに、メモリ２８０は、記録再生装置２００全体を動作制御するＯＳ（Operating System）上に展開される各種プログラムなどを適宜読み出し可能に記憶している。このメモリ２８０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ２８０としては、ＨＤ、ＤＶＤ、光ディスクなどの記録媒体に読み出し可能に記憶するドライブやドライバなどを備えた構成としてもよい。
【００４４】
ＣＰＵ２９０は、各種プログラムとして、図４に示すように、データ関連情報取得手段、文字情報取得手段および記憶要求情報取得手段としても機能する録画予約設定手段２９１と、データ記録制御手段としての録画制御手段２９２と、記憶日時取得手段および保存期間取得手段としても機能する管理情報生成手段２９３と、処理実施手段としてのアクセス制御手段２９４と、処理状況認識手段としてのアクセス状況認識手段２９５と、データ消去手段、保存期間変更手段および消去制御手段としても機能するコンテンツ管理手段２９６と、計時手段２９７と、などを備えている。なお、管理情報生成手段２９３、アクセス状況認識手段２９５、および、コンテンツ管理手段２９６にて、本発明の処理制御装置が構成されている。また、録画予約設定手段２９１、録画制御手段２９２と、管理情報生成手段２９３と、アクセス制御手段２９４と、アクセス状況認識手段２９５と、および、コンテンツ管理手段２９６と、計時手段２９７と、にて、本発明のデータ処理装置が構成されている。なお、本発明のデータ処理装置としては、録画予約設定手段２９１を設けない構成としてもよい。
【００４５】
計時手段２９７は、例えば内部クロックなどの基準パルスに基づいて現在日時を計時する。そして、この計時した現在日時に関する現在日時情報を適宜出力する。
【００４６】
録画予約設定手段２９１は、入力手段２６０から操作信号として送信される自動録画予約要求情報を適宜取得する。そして、この自動録画予約要求情報に基づいて、自動録画予約処理を実施する。具体的には、録画予約設定手段２９１は、ＤＤｅｃ２３３を制御して、ＮＩＭ２１１で取得したＴＳに記載されたＥＰＧデータをＨＤＤ２７０に記憶させる。そして、自動録画予約要求情報を取得すると、この自動録画予約要求情報に記載された例えばキーワードを認識するとともに、ＨＤＤ２７０に記憶されたＥＰＧデータを取得する。さらに、認識したキーワードに一致あるいは関連する番組名、番組記述、ジャンル、シリーズ名などのコンテンツをＥＰＧデータから検索する。そして、キーワードに例えば関連する番組名のコンテンツを検索できたことを認識すると、ＥＰＧデータに基づいて、このコンテンツの録画開始日時、録画終了日時、チャンネル番号などに関する情報を記載した録画基本情報５２１を生成する。また、録画基本情報５２１に基づく録画処理が自動予約録画処理である旨を示す「１」のフラグ情報を生成する。そして、このフラグ情報を組み込んだ自動録画予約フラグ５２２を生成する。さらに、録画予約設定手段２９１は、録画基本情報５２１および自動録画予約フラグ５２２を組み込んだ予約情報５２０を適宜生成して、録画予約リスト情報５００に組み込む。ここで、録画予約設定手段２９１は、キーワードに例えば関連するコンテンツを複数検索できたことを認識すると、これら検索した各コンテンツにそれぞれ対応する予約情報５２０を適宜生成して録画予約リスト情報５００に組み込む。そして、録画予約設定手段２９１は、録画予約リスト情報５００に組み込んだ予約情報５２０の数を予約数情報５１０に加算する処理をする。なお、ここでは、ＥＰＧデータを用いて自動録画予約に対応する予約情報５２０を生成する構成を例示したが、これに限られず他のデータを用いて生成する構成などとしてもよい。
【００４７】
また、録画予約設定手段２９１は、ＤＤｅｃ２３３を制御して、最新のＥＰＧデータをＨＤＤ２７０に適宜記憶させる。そして、このＥＰＧデータを参照して、例えばスポーツ中継が延長された場合など、自動録画予約したコンテンツの放送開始日時や放送終了日時などが変更されたことを認識すると、この変更内容に基づいて予約情報５２０の録画基本情報５２１を適宜変更する。
【００４８】
さらに、録画予約設定手段２９１は、入力手段２６０から操作信号として送信される手動録画予約要求情報を適宜取得する。そして、この手動録画予約要求情報に基づいて、手動録画予約処理を実施する。具体的には、録画予約設定手段２９１は、手動録画予約要求情報を取得すると、この手動録画予約要求情報に記載された録画開始日時、録画終了日時、チャンネル番号などに関する情報を認識し、これら各種情報が記載された録画基本情報５２１を生成する。また、録画基本情報５２１に基づく録画処理が手動予約録画処理である旨を示す「０」のフラグ情報を生成する。そして、このフラグ情報を組み込んだ自動録画予約フラグ５２２を生成する。さらに、録画予約設定手段２９１は、録画基本情報５２１および自動録画予約フラグ５２２を組み込んだ予約情報５２０を適宜生成して録画予約リスト情報５００に組み込む。また、録画予約設定手段２９１は、予約数情報５１０に１を加算する。
【００４９】
録画制御手段２９２は、ＮＩＭ２１１、Ｄｅｍｕｘ２２０、記録再生処理手段２５０の記録部２５１などの動作を制御して、所望のコンテンツのコンテンツデータを受信してＨＤＤ２７０に適宜読み出し可能に記憶させる処理をする。具体的には、録画制御手段２９２は、入力手段２６０における入力操作に基づく操作信号により現在受信して再生しているコンテンツデータを記憶、あるいは、録画予約リスト情報５００の予約情報５２０に基づいて計時手段２９７で計時する現在時刻が予約情報５２０における録画開始日時となるコンテンツデータを受信させて記憶させる処理をする。そして、コンテンツデータを記憶させる処理すなわち録画処理を実施すると、このコンテンツデータに固有の番号を付与する。
【００５０】
管理情報生成手段２９３は、録画制御手段２９２にて録画されたコンテンツに関するコンテンツ管理情報６１０を適宜生成して、コンテンツ管理リスト情報６００へ組み込む。具体的には、管理情報生成手段２９３は、録画制御手段２９２にて予約情報５２０に基づいて録画処理が実施されたことを認識すると、この録画されたコンテンツに付与された番号を認識する。そして、この番号が記載されたコンテンツナンバ６１１を生成する。さらに、このコンテンツに関する予約情報５２０の自動録画予約フラグ５２２の設定を認識する。
【００５１】
そして、管理情報生成手段２９３は、この自動録画予約フラグ５２２の設定に基づいて、このコンテンツの予約録画が手動予約録画であることを認識すると、その旨を示す「０」のフラグ情報を組み込んだ自動消去対象フラグ６１２を生成する。なお、ここでは、手動録画予約であることを認識した際に、自動消去対象フラグ６１２に「０」のフラグ情報を組み込む構成について例示するが、例えば手動録画予約のコンテンツを自動消去の対象とする構成にして「１」のフラグ情報を組み込む構成などとしてもよい。さらに、録画制御手段２９２は、コンテンツナンバ６１１および自動消去対象フラグ６１２を組み込んだコンテンツ管理情報６１０を適宜生成して、コンテンツ管理リスト情報６００に組み込む。また、コンテンツ管理情報６１０をコンテンツ管理リスト情報６００に組み込むと、録画予約リスト情報５００の更新処理を実施する。具体的には、このコンテンツの予約情報５２０を録画予約リスト情報５００から削除するとともに、予約数情報５１０から１を減算する処理をする。
【００５２】
また、管理情報生成手段２９３は、自動録画予約フラグ５２２の設定に基づいて、このコンテンツの予約録画が自動予約録画であることを認識すると、その旨を示す「１」のフラグ情報を組み込んだ自動消去対象フラグ６１２を生成する。なお、ここでは、自動録画予約であることを認識した際に、自動消去対象フラグ６１２に「１」のフラグ情報を組み込む構成について例示するが、例えば自動録画予約のコンテンツを自動消去の対象としない構成にして「０」のフラグ情報を組み込む構成などとしてもよい。そして、コンテンツを自動消去するまでの残存時間を例えば予め設定された時間Ｚに設定し、この残存時間に関する残存時間情報６１３を生成して取得する。さらに、期間計時開始日時を録画終了日時に設定し、この期間計時開始日時に関する期間計時開始情報６１４を生成する。また、このコンテンツが１回もアクセスされていないことを示す「０」のフラグ情報を生成する。そして、このフラグ情報を組み込んだアクセスフラグ６１５を生成する。また、このコンテンツのアクセス回数を０に設定し、このアクセス回数を記載したアクセス回数情報６１６を生成する。そして、管理情報生成手段２９３は、コンテンツナンバ６１１と、自動消去対象フラグ６１２と、残存時間情報６１３と、期間計時開始情報６１４と、アクセスフラグ６１５と、アクセス回数情報６１６と、を組み込んだコンテンツ管理情報６１０を適宜生成して、コンテンツ管理リスト情報６００に組み込む。さらに、録画予約リスト情報５００の更新処理を実施する。
【００５３】
さらに、管理情報生成手段２９３は、録画制御手段２９２にて録画開始情報および録画終了情報に基づいて録画処理が実施されたことを認識すると、手動予約録画時と同様の処理を実施する。すなわち、管理情報生成手段２９３は、コンテンツナンバ６１１と、「０」に設定された自動消去対象フラグ６１２と、を組み込んだコンテンツ管理情報６１０を適宜生成して、コンテンツ管理リスト情報６００に組み込む。
【００５４】
アクセス制御手段２９４は、入力手段２６０から操作信号として送信される各種情報に基づいて、ＨＤＤ２７０に記録されたコンテンツの再生処理を実施する。具体的には、アクセス制御手段２９４は、入力手段２６０から操作信号として送信される再生要求情報を取得すると、この再生要求情報に基づいてコンテンツを再生する旨の要求を認識する。また、入力手段２６０からコンテンツ特定情報を取得すると、このコンテンツ特定情報に基づいてコンテンツを特定する番号を認識する。そして、アクセス制御手段２９４は、再生部２５２、Ｄｅｍｕｘ２２０、デコーダ２３０、ＯＳＤ２４０の動作を制御して、コンテンツデータを出力装置３００へ適宜出力させる処理をする。
【００５５】
また、アクセス制御手段２９４は、入力手段２６０から操作信号として送信される早送り情報や巻き戻し情報を適宜取得する。そして、この早送り情報や巻き戻し情報に基づいて、再生しているコンテンツの早送り処理や巻き戻し処理を適宜実施する。
【００５６】
さらに、アクセス制御手段２９４は、入力手段２６０から操作信号として送信される編集要求情報を取得すると、この編集要求情報に基づいてコンテンツを編集する旨の要求を認識する。また、入力手段２６０からのコンテンツ特定情報に基づいて、コンテンツを特定する番号を認識する。そして、再生部２５２、Ｄｅｍｕｘ２２０、デコーダ２３０、ＯＳＤ２４０、記録部２５１などを適宜制御して、編集が要求されたコンテンツのコンテンツデータを適宜編集する処理をする。
【００５７】
また、アクセス制御手段２９４は、入力手段２６０から操作信号として送信されるアクセス終了情報を適宜取得する。そして、Ｄｅｍｕｘ２２０、デコーダ２３０、ＯＳＤ２４０、記録再生処理手段２５０などを適宜制御して、コンテンツの再生処理や編集処理などを適宜終了させる処理をする。
【００５８】
アクセス状況認識手段２９５は、ＨＤＤ２７０に記録されたコンテンツへのアクセス状況を適宜認識し、このコンテンツに関するコンテンツ管理情報６１０のアクセスフラグ６１５やアクセス回数情報６１６を適宜変更する。具体的には、アクセス状況認識手段２９５は、アクセス制御手段２９４の制御によりコンテンツの再生処理や編集処理が開始されたこと、すなわちコンテンツへのアクセス処理が開始されたことを認識すると、計時手段２９７から現在日時情報を取得する。そして、アクセス処理の開始日時を認識する。また、コンテンツへのアクセス処理が終了したことを認識すると、計時手段２９７から現在日時情報を取得して、アクセス処理の終了日時を認識する。さらに、これら認識した開始日時および終了日時に基づいて、コンテンツへのアクセス時間を認識する。
【００５９】
そして、アクセス状況認識手段２９５は、アクセス時間が例えば予め設定された変更基準時間Ｒ以上であることを認識すると、アクセス制御手段２９４で取得したコンテンツ特定情報に基づいて、アクセスされていたコンテンツを特定する番号を認識する。さらに、この特定された番号が記載されたコンテンツナンバ６１１をコンテンツ管理リスト情報６００から検索して、この検索したコンテンツナンバ６１１が組み込まれたコンテンツ管理情報６１０を認識する。そして、このコンテンツ管理情報６１０のアクセス回数情報６１６に１を加算する。さらに、このコンテンツ管理情報６１０のアクセスフラグ６１５が「０」に設定されていることを認識すると、このアクセスフラグ６１５を「１」に設定する。
【００６０】
コンテンツ管理手段２９６は、コンテンツのＨＤＤ２７０に記録されてからの経過時間やアクセス状況などに基づいて、このコンテンツをＨＤＤ２７０から適宜自動消去する。具体的には、コンテンツ管理リスト情報６００から自動消去対象フラグ６１２が「１」に設定されたコンテンツ管理情報６１０、すなわち自動消去の対象になっているコンテンツに対応するコンテンツ管理情報６１０を検索する。そして、この検索したコンテンツ管理情報６１０の期間計時開始情報６１４に基づいて、各コンテンツ管理情報６１０に対応するコンテンツの期間計時開始日時を認識する。また、コンテンツ管理手段２９６は、計時手段２９７から現在日時情報を適宜取得して現在日時を認識する。さらに、いずれかのコンテンツの期間計時開始日時からの計時時間が期間Ｔ以上となったことを認識すると、このコンテンツに対応するコンテンツ管理情報６１０を認識する。
【００６１】
また、コンテンツ管理手段２９６は、このコンテンツ管理情報６１０のアクセスフラグ６１５が「０」に設定されていることを認識すると、コンテンツナンバ６１１により特定されるコンテンツが、期間計時開始日時から期間Ｔの間に１回もアクセスされていないと認識する。そして、コンテンツ管理手段２９６は、このコンテンツ管理情報６１０の残存時間情報６１３により示される残存時間から期間Ｔを減算して０以下になったことを認識すると、このコンテンツ管理情報６１０に対応するコンテンツをＨＤＤ２７０から自動消去するとともに、このコンテンツ管理情報６１０をコンテンツ管理リスト情報６００から削除する。また、コンテンツ管理手段２９６は、期間Ｔを減算した残存時間が０以上であることを認識すると、コンテンツ管理情報６１０の期間計時開始情報６１４により示される期間計時開始日時を現在日時に設定する。
【００６２】
さらに、コンテンツ管理手段２９６は、認識したコンテンツ管理情報６１０のアクセスフラグ６１５が「１」に設定されていることを認識すると、コンテンツが期間計時開始日時から期間Ｔの間に少なくとも１回アクセスされていると認識する。また、このコンテンツ管理情報６１０のアクセス回数情報６１６に基づいてアクセス回数を認識する。そして、このアクセス回数が予め設定された所定回数のＬ回以上（Ｌは、自然数）であることを認識すると、このコンテンツ管理情報６１０の自動消去対象フラグ６１２を「０」に設定する。また、コンテンツ管理手段２９６は、アクセス回数がＬ回未満であることを認識すると、残存時間情報６１３により示される残存時間に予め設定された所定期間としての追加時間Ｇを加算した時間を、新たな残存時間として残存時間情報６１３に記載する。また、このコンテンツ管理情報６１０のアクセスフラグ６１５を「０」に設定するとともに、アクセス回数情報６１６のアクセス回数を０に設定する。さらに、期間計時開始情報６１４により示される期間計時開始日時を現在日時に設定する。
【００６３】
〔コンテンツ記録再生システムの動作〕
次に、記録再生システム１００の動作を図面を参照して説明する。
【００６４】
（手動録画予約処理）
まず、記録再生システム１００の動作として、手動録画予約処理について図５に基づいて説明する。図５は、手動録画予約処理を示すフローチャートである。
【００６５】
まず、利用者は、例えば入力手段２６０の入力操作により、所望のコンテンツを手動録画予約するために必要な各種情報、例えば録画開始日時、録画終了日時、チャンネル番号などに関する手動録画予約要求情報を設定入力する。記録再生装置２００は、図５に示すように、ＣＰＵ２９０の録画予約設定手段２９１にて、手動録画予約要求情報を取得すると（ステップＳ１０１）、この手動録画予約要求情報に記載された録画開始日時、録画終了日時、チャンネル番号などの各種情報を認識する。そして、これら各種情報が記載された録画基本情報５２１を生成する（ステップＳ１０２）。さらに、録画予約設定手段２９１は、「０」に設定されたフラグ情報を組み込んだ自動録画予約フラグ５２２を生成する（ステップＳ１０３）。この後、録画予約設定手段２９１は、録画基本情報５２１および自動録画予約フラグ５２２を組み込んだ予約情報５２０を生成する（ステップＳ１０４）。そして、録画予約リスト情報５００を更新して（ステップＳ１０５）、手動録画予約処理を終了する。具体的には、録画予約設定手段２９１は、生成した予約情報５２０を録画予約リスト情報５００へ組み込む。そして、予約数情報５１０に１を加算した後に、手動録画予約処理を終了する。
【００６６】
（自動録画予約処理）
次に、記録再生システム１００の動作として、自動録画予約処理について図６に基づいて説明する。図６は、自動録画予約処理を示すフローチャートである。
【００６７】
まず、利用者は、入力手段２６０の入力操作により、例えば所望のコンテンツの番組名や番組内容に関連するキーワードなどに関する自動録画予約要求情報を設定入力する。記録再生装置２００は、図６に示すように、ＣＰＵ２９０の録画予約設定手段２９１にて、自動録画予約要求情報を取得すると（ステップＳ２０１）、この自動録画予約要求情報に記載された例えばキーワードを認識する（ステップＳ２０２）。また、予めＮＩＭ２１１に取得させ、ＨＤＤ２７０に記憶させておいたＥＰＧデータを取得する（ステップＳ２０３）。そして、利用者により設定されたキーワードに対応する番組があるか否かを判断する（ステップＳ２０４）。具体的には、キーワードに一致あるいは関連する番組名、番組記述、ジャンル、シリーズ名などのコンテンツをＥＰＧデータから検索できたか否かを判断する。
【００６８】
このステップＳ２０４において、録画予約設定手段２９１は、キーワードに対応する番組がないと判断した場合、自動録画予約処理を終了する。一方、ステップＳ２０４において、キーワードに対応する番組があると判断した場合、ＥＰＧデータに基づいて、このコンテンツの放送開始日時、番組時間の長さ、チャンネル番号などの各種情報を認識する。そして、録画開始日時、録画終了日時、チャンネル番号などが記載された録画基本情報５２１を生成する（ステップＳ２０５）。さらに、録画予約設定手段２９１は、「１」に設定されたフラグ情報を組み込んだ自動録画予約フラグ５２２を生成する（ステップＳ２０６）。この後、録画予約設定手段２９１は、録画基本情報５２１および自動録画予約フラグ５２２を組み込んだ予約情報５２０を生成し（ステップＳ２０７）、録画予約リスト情報５００を更新して（ステップＳ２０８）、自動録画予約処理を終了する。なお、ステップＳ２０４においてキーワードに対応するコンテンツが複数あると判断した場合には、ステップＳ２０７において各コンテンツに対応する予約情報５２０を生成する。
【００６９】
（予約録画処理）
次に、記録再生システム１００の動作として、手動録画予約または自動録画予約に基づいた予約録画処理について図７に基づいて説明する。図７は、予約録画処理を示すフローチャートである。
【００７０】
まず、記録再生装置２００は、ＣＰＵ２９０の録画制御手段２９２にて、計時手段２９７からの現在日時情報に基づいて現在日時を認識するとともに、各予約情報５２０の録画基本情報５２１に基づいて録画開始日時を認識する。この後、録画制御手段２９２は、図７に示すように、いずれかの予約情報５２０に対応する予約録画の録画開始日時になったことを認識すると（ステップＳ３０１）、録画基本情報５２１に基づいて、録画するコンテンツのチャンネル番号を認識する。そして、ＮＩＭ２１１、Ｄｅｍｕｘ２２０、記録部２５１を適宜制御して、コンテンツをＨＤＤ２７０に記録させる（ステップＳ３０２）。この後、録画制御手段２９２は、録画基本情報５２１に基づいて録画終了日時になったことを認識すると、コンテンツの記録を終了させるとともに、このコンテンツに固有の番号を付与する。
【００７１】
そして、ＣＰＵ２９０は、管理情報生成手段２９３にて、このコンテンツの予約録画に対応する予約情報５２０の自動録画予約フラグ５２２の設定を認識する（ステップＳ３０３）。この後、ＨＤＤ２７０に記録されたコンテンツの番号を認識し、この番号に関するコンテンツナンバ６１１を生成する（ステップＳ３０４）。そして、管理情報生成手段２９３は、ステップＳ３０３で認識した自動録画予約フラグ５２２の設定に基づいて、このコンテンツの予約録画が自動予約録画か否かを判断する（ステップＳ３０５）。
【００７２】
このステップＳ３０５において、自動予約録画ではなく手動予約録画であると判断した場合、「０」に設定されたフラグ情報を組み込んだ自動消去対象フラグ６１２を生成する（ステップＳ３０６）。なお、手動録画予約を自動消去の対象とする構成にして「１」に設定された自動消去対象フラグ６１２を生成する構成などとしてもよい。そして、コンテンツナンバ６１１および自動消去対象フラグ６１２を組み込んだコンテンツ管理情報６１０を生成し（ステップＳ３０７）、このコンテンツ管理情報６１０をコンテンツ管理リスト情報６００に組み込む。この後、管理情報生成手段２９３は、録画予約リスト情報５００を更新して（ステップＳ３０８）、予約録画処理を終了する。
【００７３】
一方、ステップＳ３０５において、管理情報生成手段２９３は、自動予約録画であると判断した場合、「１」に設定されたフラグ情報を組み込んだ自動消去対象フラグ６１２を生成する（ステップＳ３０９）。なお、自動録画予約を自動消去の対象としない構成にして「０」に設定された自動消去対象フラグ６１２を生成する構成などとしてもよい。さらに、コンテンツを自動消去するまでの残存時間を時間Ｚに設定し、この残存時間に関する残存時間情報６１３を生成する（ステップＳ３１０）。また、期間計時開始日時を録画終了日時に設定し、この期間計時開始日時に関する期間計時開始情報６１４を生成する（ステップＳ３１１）。そして、「０」に設定されたフラグ情報を組み込んだアクセスフラグ６１５を生成する（ステップＳ３１２）。さらに、アクセス回数を０に設定し、このアクセス回数が記載されたアクセス回数情報６１６を生成する（ステップＳ３１３）。そして、管理情報生成手段２９３は、ステップＳ３０８の処理、すなわちコンテンツ管理情報６１０を生成する処理を実施する。ここでは、管理情報生成手段２９３は、コンテンツナンバ６１１、自動消去対象フラグ６１２、残存時間情報６１３、期間計時開始情報６１４、アクセスフラグ６１５、アクセス回数情報６１６を組み込んだコンテンツ管理情報６１０を生成してコンテンツ管理リスト情報６００に組み込む。
【００７４】
（コンテンツへのアクセス処理）
次に、記録再生システム１００の動作として、コンテンツへのアクセス処理について図８に基づいて説明する。なお、ここでは、コンテンツへのアクセス処理として、コンテンツを再生する処理を例示して説明する。図８は、コンテンツへのアクセス処理を示すフローチャートである。
【００７５】
まず、利用者は、入力手段２６０の入力操作により、任意のコンテンツの再生を要求する旨の再生要求情報を設定入力する。記録再生装置２００は、図８に示すように、ＣＰＵ２９０のアクセス制御手段２９４にて、再生要求情報を取得すると、任意のコンテンツの再生が要求されている旨を認識する（ステップＳ４０１）。この後、利用者は、入力手段２６０の入力操作により、再生するコンテンツを特定するコンテンツ特定情報を適宜設定入力する。記録再生装置２００のアクセス制御手段２９４は、コンテンツ特定情報を取得すると、このコンテンツ特定情報に記載された例えばコンテンツを特定する番号に基づいて、再生するコンテンツを特定する（ステップＳ４０２）。この後、アクセス制御手段２９４は、このコンテンツへのアクセス処理を実施する（ステップＳ４０３）。ここでは、アクセス制御手段２９４は、再生部２５２を制御して、コンテンツ特定情報に記載された番号が付与されたコンテンツのコンテンツデータをＨＤＤ２７０から取得させる。この後、アクセス制御手段２９４は、Ｄｅｍｕｘ２２０、デコーダ２３０、ＯＳＤ２４０を適宜制御して、再生部２５２で取得したコンテンツデータを再生させ、出力装置３００からコンテンツを出力させる。また、ＣＰＵ２９０のアクセス状況認識手段２９５は、アクセス制御手段２９４でアクセス処理が開始されたことを認識すると、計時手段２９７から現在日時情報を取得して、アクセス処理の開始日時を認識する。
【００７６】
この後、利用者は、入力手段２６０の入力操作により、コンテンツの再生終了を要求する旨のアクセス終了情報を適宜設定入力する。記録再生装置２００のアクセス制御手段２９４は、アクセス終了情報を取得すると、アクセス処理を終了する（ステップＳ４０４）。ここでは、アクセス制御手段２９４は、コンテンツの再生を終了させる。また、アクセス状況認識手段２９５は、アクセス制御手段２９４でのアクセス処理が終了したことを認識すると、計時手段２９７から現在日時情報を取得して、アクセス処理の終了日時を認識する。
【００７７】
この後、アクセス状況認識手段２９５は、アクセス処理の開始日時および終了日時に基づいて、アクセス時間が変更基準時間Ｒ以上か否かを判断する（ステップＳ４０５）。このステップＳ４０５において、ＣＰＵ２９０は、アクセス状況認識手段２９５でアクセス時間が変更基準時間Ｒ以上でないと判断した場合、コンテンツへのアクセス処理を終了する。一方、ステップＳ４０５において、アクセス状況認識手段２９５は、アクセス時間が変更基準時間Ｒ以上であることを認識すると、アクセス制御手段２９４で取得したコンテンツ特定情報に基づいて、アクセスされていたコンテンツを特定する番号を認識する。さらに、この認識した番号が記載されたコンテンツナンバ６１１を有するコンテンツ管理情報６１０を、コンテンツ管理リスト情報６００から検索する。そして、このコンテンツ管理情報６１０のアクセス回数情報６１６に１を加算する（ステップＳ４０６）。この後、アクセス状況認識手段２９５は、このコンテンツ管理情報６１０のアクセスフラグ６１５が「０」に設定されているか否かを判断する（ステップＳ４０７）。
【００７８】
このステップＳ４０７において、ＣＰＵ２９０は、アクセス状況認識手段２９５でアクセスフラグ６１５が「０」ではなく「１」に設定されていると判断した場合、コンテンツへのアクセス処理を終了する。一方、ステップＳ４０７において、アクセス状況認識手段２９５は、アクセスフラグ６１５が「０」に設定されていると判断した場合、アクセスフラグ６１５を「１」に設定する（ステップＳ４０８）。この後、ＣＰＵ２９０は、コンテンツへのアクセス処理を終了する。
【００７９】
（コンテンツの管理処理）
次に、記録再生システム１００の動作として、コンテンツの管理処理について図９に基づいて説明する。図９は、コンテンツの管理処理を示すフローチャートである。
【００８０】
まず、記録再生装置２００は、ＣＰＵ２９０のコンテンツ管理手段２９６にて、コンテンツ管理リスト情報６００に組み込まれた各コンテンツ管理情報６１０の自動消去対象フラグ６１２に基づいて、自動消去の対象となっているコンテンツがあるか否かを判断する（ステップＳ５０１）。このステップＳ５０１において、自動消去対象のコンテンツがないと判断した場合、コンテンツの管理処理を終了する。一方、ステップＳ５０１において、コンテンツ管理手段２９６は、自動消去対象のコンテンツがあると判断した場合、このコンテンツに対応するコンテンツ管理情報６１０の期間計時開始情報６１４に基づいて、期間計時開始日時を認識する（ステップＳ５０２）。ここで、コンテンツ管理手段２９６は、自動消去対象のコンテンツが複数あると判断した場合、各コンテンツの期間計時開始日時を認識する。この後、計時手段２９７から現在日時情報を取得して、現在日時を認識する（ステップＳ５０３）。そして、コンテンツ管理手段２９６は、期間計時開始日時からの計時時間が期間Ｔ以上のコンテンツがあるか否かを判断する（ステップＳ５０４）。
【００８１】
このステップＳ５０４において、期間Ｔ以上のコンテンツがないと判断した場合、例えば予め設定された設定時間が経過した後に、ステップＳ５０１の処理を実施する。一方、ステップＳ５０４において、コンテンツ管理手段２９６は、期間Ｔ以上のコンテンツがあると判断した場合、このコンテンツに対応するコンテンツ管理情報６１０を認識する。この後、このコンテンツ管理情報６１０のアクセスフラグ６１５に基づいて、コンテンツへのアクセス処理が実施されているか否かを判断する（ステップＳ５０５）。このステップＳ５０５において、アクセス処理が実施されていると判断した場合、コンテンツ管理情報６１０のアクセス回数情報６１６に基づいて、アクセス回数がＬ回以上か否かを判断する（ステップＳ５０６）。そして、このステップＳ５０６において、アクセス回数がＬ回以上であると判断した場合、コンテンツ管理情報６１０の自動消去対象フラグ６１２を「０」に設定する（ステップＳ５０７）。この後、コンテンツ管理手段２９６は、例えば設定時間が経過した後にステップＳ５０１の処理を実施する。
【００８２】
一方、ステップＳ５０６において、コンテンツ管理手段２９６は、アクセス回数がＬ回未満であると判断した場合、コンテンツ管理情報６１０の残存時間情報６１３により示される残存時間に追加時間Ｇを加える（ステップＳ５０８）。また、コンテンツ管理情報６１０のアクセスフラグ６１５を「０」に設定するとともに（ステップＳ５０９）、アクセス回数情報６１６により示されるアクセス回数を０に設定する（ステップＳ５１０）。さらに、コンテンツ管理情報６１０の期間計時開始情報６１４により示される期間計時開始日時を現在日時に設定する（ステップＳ５１１）。この後、コンテンツ管理手段２９６は、例えば設定時間が経過した後にステップＳ５０１の処理を実施する。
【００８３】
また、ステップＳ５０５において、コンテンツ管理手段２９６は、アクセス処理が実施されていないと判断した場合、残存時間情報６１３により示される残存時間から期間Ｔを減じて（ステップＳ５１２）、残存時間が０以下になったか否かを判断する（ステップＳ５１３）。このステップＳ５１３において、残存時間が０以上であると判断した場合、ステップＳ５１１の処理を実施する。一方、ステップＳ５１３において、コンテンツ管理手段２９６は、残存時間が０以下になったと判断した場合、このコンテンツをＨＤＤ２７０から自動消去するとともに（ステップＳ５１４）、このコンテンツに対応するコンテンツ管理情報６１０をコンテンツ管理リスト情報６００から削除する。そして、例えば設定時間が経過した後にステップＳ５０１の処理を実施する。
【００８４】
〔コンテンツ記録再生システムの作用効果〕
上述したように、上記実施の形態では、記録再生装置２００のＣＰＵ２９０は、録画制御手段２９２にて、現在日時が予約情報５２０の録画基本情報５２１に記載された録画開始日時になったことを認識すると、この予約情報５２０により予約されたコンテンツのＨＤＤ２７０への録画処理を開始する。この後、現在日時が録画基本情報５２１に記載された録画終了日時になったことを認識すると、コンテンツの録画処理を終了する。そして、ＣＰＵ２９０は、管理情報生成手段２９３にて、このコンテンツをＨＤＤ２７０から自動消去するまでの残存時間を予め設定された時間Ｚに設定し、この残存時間が記載された残存時間情報６１３を生成する。さらに、期間計時開始日時を録画終了日時に設定し、この期間計時開始日時に関する期間計時開始情報６１４を生成する。そして、残存時間情報６１３や期間計時開始情報６１４などを組み込んだコンテンツ管理情報６１０を生成する。この後、ＣＰＵ２９０は、コンテンツ管理手段２９６にて、期間計時開始日時からの経過時間が期間Ｔ以上となったことを認識すると、アクセス制御手段２９４によるコンテンツへのアクセス処理が実施されたか否かを判断する。そして、アクセス処理が実施されたと判断した場合、コンテンツ管理情報６１０の残存時間情報６１３により示される残存時間に追加時間Ｇを加えるとともに、期間計時開始情報６１４により示される期間計時開始日時を残存時間の変更処理を実施した日時に設定する。一方、アクセス処理が実施されていないと判断した場合、残存時間情報６１３により示される残存時間から期間Ｔを減じるとともに、期間計時開始情報６１４の期間計時開始日時を残存時間の変更処理を実施した日時に設定する。この後、コンテンツ管理手段２９６は、期間計時開始日時から期間Ｔが経過する毎に上述した処理を実施して、残存時間が０以下になったことを認識すると、このコンテンツをＨＤＤ２７０から自動消去する。
【００８５】
このため、記録再生装置２００は、例えば再生されたコンテンツが自動消去されるまでの期間を未再生のコンテンツと比べて長く設定できる。したがって、利用者は、例えば嗜好に合うコンテンツの再生を要求する設定入力を実施するだけで、このコンテンツが自動消去されるまでの期間を再生要求前と比べて長くすることができ、期間を長くする特別な設定入力を実施する必要がない。また、再生されたコンテンツが自動消去されるまでの期間が未再生のコンテンツと比べて長く設定されるため、例えば利用者の嗜好に合うコンテンツの予期せぬ自動消去を従来の構成と比べて防ぐことができる。よって、記録再生装置２００は、コンテンツを適切に消去できる。さらに、例えば利用者の嗜好に合わない未再生のコンテンツが嗜好に合う再生済みのコンテンツよりも早く自動消去されるため、嗜好に合わないコンテンツがＨＤＤ２７０に長期間保存されることがない。したがって、ＨＤＤ２７０の空き容量を適切に確保でき、例えば空き容量の不足により嗜好に合うコンテンツを記憶させることができなくなるおそれを最小限に抑えることができる。また、ＨＤＤ２７０に記憶させるコンテンツ数の最適化を図ることができ、例えばアクセス処理時におけるコンテンツの特定処理を実施するアクセス制御手段２９４の処理負荷を減らすことができる。
【００８６】
コンテンツ管理手段２９６は、自動消去までの期間を長くする際に、残存時間情報６１３により示される残存時間に追加時間Ｇを加える処理をする。このため、コンテンツ管理手段２９６は、残存時間に追加時間Ｇを加えるだけの簡単な方法で、自動消去までの期間を長くできる。したがって、自動消去までの期間を長くする処理時の負荷を減らすことができる。
【００８７】
アクセス状況認識手段２９５は、アクセス制御手段２９４の制御によるコンテンツへのアクセス時間を認識する。そして、このアクセス時間が変更基準時間Ｒ以上であることを認識すると、アクセス処理が実施されたと判断する。コンテンツ管理手段２９６は、コンテンツへのアクセス処理が実施されたことを認識すると、このコンテンツを自動消去するまで期間を長く設定する。このため、記録再生装置２００は、利用者が例えば嗜好に合わないコンテンツを誤って再生した場合、この再生時間が変更基準時間Ｒ以下であれば期間を長くすることがない。したがって、利用者の意志に反して例えば嗜好に合わないコンテンツの自動消去までの期間を長くすることがなく、記録再生装置２００の利便性を向上できる。
【００８８】
アクセス状況認識手段２９５は、アクセス処理が実施されたと判断すると、コンテンツ管理情報６１０のアクセスフラグ６１５を「１」に設定する。そして、コンテンツ管理手段２９６は、アクセスフラグ６１５の設定に基づいて、アクセス処理が実施されたか否かを判断する。このため、コンテンツ管理手段２９６は、アクセスフラグ６１５の設定を認識するだけの簡単な方法でアクセス処理が実施されたか否かを判断でき、コンテンツの管理処理をより迅速にできる。
【００８９】
アクセス状況認識手段２９５は、期間Ｔにおけるコンテンツへのアクセス回数を認識する。そして、コンテンツ管理手段２９６は、アクセス状況認識手段２９５で認識したコンテンツへのアクセス回数がＬ回以上であると判断すると、このコンテンツを自動消去の対象から外す。このため、利用者は、例えば嗜好に合うコンテンツを期間ＴにＬ回以上再生するだけで、このコンテンツの予期せぬ自動消去を防止でき、特別な設定入力を実施する必要がない。したがって、記録再生装置２００の使い勝手を向上できる。
【００９０】
ＣＰＵ２９０の録画予約設定手段２９１は、利用者により設定入力された自動録画予約要求情報のキーワードを認識すると、予めＨＤＤ２７０に記憶させておいたＥＰＧデータを取得する。さらに、このＥＰＧデータに基づいて、キーワードに一致あるいは関連するコンテンツを検索して、この検索したコンテンツを自動予約録画するための予約情報５２０を生成する。この後、録画制御手段２９２は、この予約情報５２０に基づいてコンテンツの自動予約録画を実施する。また、管理情報生成手段２９３は、この自動予約録画したコンテンツを自動消去するまでの残存時間を設定して、残存時間情報６１３などが記載されたコンテンツ管理情報６１０を生成する。そして、コンテンツ管理手段２９６は、アクセス処理が実施されたか否かなどの情報に基づいてコンテンツを適宜自動消去する。このため、記録再生装置２００は、キーワードに例えば一致するが利用者の嗜好に合わないコンテンツを自動予約録画したとしても、このコンテンツを消去する旨の設定入力を利用者に実施させることなくＨＤＤ２７０から自動消去できる。したがって、ＨＤＤ２７０の空き容量を適切に確保でき、記録再生装置２００の利便性をさらに向上できる。
【００９１】
録画予約設定手段２９１は、利用者により設定入力された手動録画予約要求情報の録画開始日時、録画終了日時、チャンネル番号などの各種情報を認識する。そして、この各種情報により特定されるコンテンツを手動予約録画するための予約情報５２０を生成する。この後、録画制御手段２９２は、この予約情報５２０に基づいてコンテンツの手動予約録画を実施する。また、管理情報生成手段２９３は、この手動予約録画したコンテンツを自動消去するまでの残存時間を設定せずに、このコンテンツに関するコンテンツ管理情報６１０を生成する。そして、コンテンツ管理手段２９６は、手動予約録画したコンテンツを自動消去の対象とせずに、自動予約録画したコンテンツのみを適宜自動消去する。このため、記録再生装置２００は、例えば利用者が手動録画予約要求情報で嗜好に合うコンテンツを特定して予約録画した場合、このコンテンツを自動消去することがない。したがって、利用者の特定により手動予約録画されたコンテンツの自動消去を確実に防ぐことができるとともに、上述したように例えば利用者の嗜好に合わない自動予約録画されたコンテンツを自動消去できる。よって、記録再生装置２００の利便性をさらに向上できる。
【００９２】
管理情報生成手段２９３は、手動予約録画したコンテンツに関するコンテンツ管理情報６１０の自動消去対象フラグ６１２を「０」に設定し、自動予約録画したコンテンツに関する自動消去対象フラグ６１２を「１」に設定する。そして、コンテンツ管理手段２９６は、自動消去対象フラグ６１２の設定に基づいて、コンテンツ管理情報６１０に関連付けられたコンテンツが自動予約録画されたものか否か、すなわち自動消去の対象か否かを判断する。このため、コンテンツ管理手段２９６は、自動消去対象フラグ６１２の設定を認識するだけの簡単な方法で、ＨＤＤ２７０に自動消去の対象となっているコンテンツが録画されているか否かを判断できる。したがって、コンテンツ管理手段２９６は、コンテンツの管理処理をより迅速にできる。
【００９３】
［実施の形態の変形］
なお、本発明は、上述した一実施の形態に限定されるものではなく、本発明の目的を達成できる範囲で以下に示される変形をも含むものである。
【００９４】
例えば、管理情報生成手段２９３に、コンテンツが録画されたことを認識すると、コンテンツを自動消去するデータ消去日時としてのコンテンツ消去日時を、例えば録画終了日時から時間Ｚが経過した日時に設定させる。そして、コンテンツ管理手段２９６に、アクセス処理の実施状況に応じてデータ消去日時をこのデータ消去日時よりも後の日時に設定させるとともに、現在日時がデータ消去日時となったことを認識した際にコンテンツを自動消去させる構成などとしてもよい。
【００９５】
このような構成において、コンテンツ管理手段２９６は、コンテンツの管理処理におけるステップＳ５０５で、コンテンツへのアクセス処理が実施されていないと判断した場合、現在日時がデータ消去日時を過ぎているか否かを判断する。そして、データ消去日時を過ぎていると判断した場合にステップＳ５１４の処理を実施して、データ消去日時を過ぎていないと判断した場合にステップＳ５１５の処理を実施する。すなわち、コンテンツ管理手段２９６は、ステップＳ５０５とステップＳ５１４との間に、現在日時がデータ消去日時を過ぎているか否かを判断する１つの処理のみを実施する。このため、ステップＳ５０５とステップＳ５１４との間にステップＳ５１２，Ｓ５１３の２つの処理を実施する一実施の形態の構成よりも、処理数を減らすことができる。したがって、記録再生装置２００は、上述した一実施の形態の構成と比べて、コンテンツの管理処理をより迅速にできる。また、コンテンツ管理手段２９６の処理負荷を減らすことができる。
【００９６】
例えば、アクセス状況認識手段２９５に、アクセス制御手段２９４の制御によりコンテンツデータの略先端部分から略後端部分まで再生されたこと、すなわちコンテンツが開始から終了まで再生されたことを認識すると、アクセス回数情報６１６のアクセス回数を「Ｅ」に設定する機能を設ける。さらに、コンテンツ管理手段２９６に、コンテンツが終了まで再生されたか否かやコンテンツへのアクセス回数に基づいて、コンテンツを適宜自動消去する機能を設ける。そして、図１０に示すようなコンテンツへのアクセス処理や、図１１に示すようなコンテンツの管理処理を実施させるような構成などとしてもよい。なお、以下において、この構成を変形例の構成と適宜称する。
【００９７】
このような変形例の構成において、アクセス状況認識手段２９５は、図１０示すように、ステップＳ４０５でコンテンツへのアクセス時間が変更基準時間Ｒ以上であることを認識すると、このコンテンツが開始から終了まで再生されたか否かを判断する（ステップＳ６０１）。ここで、このステップＳ６０１における判断方法としては、例えば１回の再生処理によりコンテンツの開始から終了まで再生されたか否かを判断する方法や、任意の間隔で実施された複数回の再生処理によりコンテンツの開始から終了まで再生されたか否かを判断する方法などが例示できる。そして、このステップＳ６０１において、終了まで再生されていないと判断した場合、ステップＳ４０６の処理を実施する。一方、ステップＳ６０１において、終了まで再生されたと判断した場合、アクセス回数情報６１６のアクセス回数を「Ｅ」に設定して（ステップＳ６０２）、ステップＳ４０７の処理を実施する。
【００９８】
また、コンテンツ管理手段２９６は、図１１に示すように、ステップＳ５０５で自動消去対象のコンテンツへのアクセス処理が実施されていることを認識すると、アクセス回数情報６１６に基づいて、アクセス回数が「Ｅ」に設定されているか否かを判断する（ステップＳ７０１）。このステップＳ７０１において、アクセス回数が「Ｅ」に設定されていると判断した場合、残存時間情報６１３により示される残存時間に例えば予め設定された完全視聴時追加時間Ｕを加える（ステップＳ７０２）。ここで、完全視聴時追加時間Ｕは、例えば期間Ｔや後述する追加基準時間Ｈよりも短い時間あるいは０に設定されている。この後、コンテンツ管理手段２９６は、ステップＳ５０９の処理を実施する。一方、ステップＳ７０１において、コンテンツ管理手段２９６は、アクセス回数が「Ｅ」に設定されていないと判断した場合、ステップＳ５０６と同様の処理を実施して、アクセス回数が予め設定された所定回数のＭ回以上（Ｍは、自然数）か否かを判断する（ステップＳ７０３）。このステップＳ７０３において、アクセス回数がＭ回以上であると判断した場合、ステップＳ５０７の処理を実施する。一方、ステップＳ７０３において、コンテンツ管理手段２９６は、アクセス回数がＭ回未満であると判断した場合、予め設定された追加基準時間Ｈにアクセス回数を乗じた時間を追加時間Ｑとして設定する（ステップＳ７０４）。ここで、追加基準時間Ｈではなく期間Ｔにアクセス回数を乗じた時間を追加時間Ｑとして設定する構成としてもよい。この後、コンテンツ管理手段２９６は、残存時間情報６１３により示される残存時間に追加時間Ｑを加え（ステップＳ７０５）、ステップＳ５０９の処理を実施する。
【００９９】
このような変形例の構成にすれば、記録再生装置２００は、残存時間情報６１３により示される残存時間に加える追加時間Ｑを、追加基準時間Ｈと、期間Ｔにおけるアクセス回数と、を乗じた時間に設定できる。すなわち、記録再生装置２００は、コンテンツを自動消去するまでの期間を期間Ｔにおけるアクセス回数に応じた長さに設定できる。このため、記録再生装置２００は、例えば利用者の嗜好に特に合うコンテンツの再生が複数回実施された場合、このコンテンツを自動消去するまでの期間を、利用者の嗜好にあまり合わず１回しか再生されていないコンテンツと比べて長く設定できる。したがって、記録再生装置２００は、アクセス回数に対応する例えば利用者の嗜好性に合わせて、コンテンツを自動消去するまでの期間を設定できる。よって、記録再生装置２００は、コンテンツをさらに適切に消去できる。
【０１００】
また、アクセス状況認識手段２９５は、コンテンツの開始から終了まで再生されたことを認識すると、アクセス回数情報６１６のアクセス回数を「Ｅ」に設定する。そして、コンテンツ管理手段２９６は、アクセス回数情報６１６に基づいてコンテンツの開始から終了まで再生されたことを認識すると、コンテンツを自動消去するまでの残存時間に追加基準時間Ｈよりも短い時間に設定された完全視聴時追加時間Ｕを加える。このため、記録再生装置２００は、開始から終了まで再生され自動消去した場合に問題が少ないコンテンツの自動消去までの期間を、開始から終了まで再生されておらず自動消去した場合に問題が大きいコンテンツよりも短く設定できる。したがって、記録再生装置２００は、自動消去した場合の影響に応じてコンテンツを自動消去するまでの期間を設定でき、コンテンツをさらに適切に消去できる。
【０１０１】
変形例の構成において、コンテンツ管理手段２９６にて、残存時間に加える追加時間Ｑを追加基準時間Ｈとアクセス回数とを乗じた時間に設定する構成について例示したが、これに限らず追加時間Ｑをアクセス回数によらず一定の時間にした構成などとしてもよい。このような構成の場合、コンテンツ管理手段２９６は、ステップＳ７０３でアクセス回数がＭ回以上であることを認識すると、ステップＳ７０５と同様の処理を実施して残存時間に一定の時間である追加時間Ｑを加える。このため、ステップＳ７０４の処理を省略でき、コンテンツの管理処理をより迅速にできる。また、コンテンツ管理手段２９６に追加時間Ｑを演算する機能を設ける必要がなくなるので構成を簡略化でき、記録再生装置２００のコストを削減できる。さらに、コンテンツ管理手段２９６の処理負荷を減らすことができる。
【０１０２】
変形例の構成において、コンテンツ管理手段２９６にて、コンテンツが開始から終了まで再生されたことを認識した際に残存時間に完全視聴時追加時間Ｕを加える構成について例示したが、このような処理を実施しない構成などとしてもよい。このような構成の場合、アクセス状況認識手段２９５は、一実施の形態の構成における図８に示すようなコンテンツへのアクセス処理を実施する。また、コンテンツ管理手段２９６は、ステップＳ５０５で自動消去対象のコンテンツへのアクセス処理が実施されていることを認識すると、ステップＳ７０３の処理を実施する。このため、ステップＳ６０１，Ｓ６０２の処理を省略でき、コンテンツへのアクセス処理をより迅速にできる。また、ステップＳ７０１，Ｓ７０２の処理を省略でき、コンテンツへのアクセス処理をより迅速にできる。さらに、アクセス状況認識手段２９５にコンテンツが開始から終了まで再生されたか否かを判断する機能を、コンテンツ管理手段２９６にアクセス回数情報６１６が「Ｅ」に設定されているか否を判断する機能を設ける必要がなくなるので、各手段２９５，２９６の構成を簡略化でき、記録再生装置２００のコストを削減できる。また、各手段２９５，２９６の処理負荷を減らすことができる。
【０１０３】
例えば変形例の構成において、コンテンツ管理手段２９６にて自動消去対象のコンテンツが開始から終了まで再生されたことを認識した場合、このコンテンツを自動消去の対象から外す構成などとしてもよい。このような構成にすれば、利用者は、例えば嗜好に合うコンテンツを開始から終了まで再生するだけで、このコンテンツを自動消去の対象から外すことができ、特別な設定入力を実施する必要がない。したがって、記録再生装置２００の使い勝手をさらに向上できる。
【０１０４】
例えば変形例の構成において、コンテンツ管理手段２９６にて追加基準時間Ｈにアクセス回数を乗じた時間を追加時間Ｑとして設定する構成について例示したが、これに限らず例えば追加基準時間Ｈにアクセス処理内容に対応した数値を乗じた時間を追加時間Ｑとして設定する構成などとしてもよい。具体的には、例えばアクセス処理が再生処理の場合に追加基準時間Ｈを追加時間Ｑとして設定し、アクセス処理が編集処理の場合に追加基準時間Ｈと２とを乗じた時間を追加時間Ｑとして設定する構成などとしてもよい。このような構成にすれば、記録再生装置２００は、例えば利用者の嗜好に特に合うコンテンツの編集処理が実施された場合、このコンテンツを自動消去するまでの期間を、利用者の嗜好にあまり合わず編集されていないコンテンツと比べて長く設定できる。したがって、記録再生装置２００は、アクセス内容に対応する例えば利用者の嗜好性に合わせて、コンテンツを自動消去するまでの期間を設定できる。よって、記録再生装置２００は、コンテンツをさらに適切に消去できる。
【０１０５】
例えば変形例の構成において、コンテンツ管理手段２９６にて追加基準時間Ｈにアクセス回数を乗じた時間を追加時間Ｑとして設定する構成について例示したが、これに限らず例えば追加基準時間Ｈにアクセス時間に対応した数値を乗じた時間を追加時間Ｑとして設定する構成などとしてもよい。具体的には、例えばアクセス時間が３０分の場合に追加基準時間Ｈを追加時間Ｑとして設定し、アクセス時間が１時間の場合に追加基準時間Ｈと２とを乗じた時間を追加時間Ｑとして設定する構成などとしてもよい。このような構成にすれば、記録再生装置２００は、例えば利用者の嗜好に特に合うコンテンツが１時間再生された場合、このコンテンツを自動消去するまでの期間を、利用者の嗜好にあまり合わず３０分しか再生されていないコンテンツと比べて長く設定できる。したがって、記録再生装置２００は、再生時間に対応する例えば利用者の嗜好性に合わせて、コンテンツを自動消去するまでの期間を設定できる。よって、記録再生装置２００は、コンテンツをさらに適切に消去できる。
【０１０６】
アクセス状況認識手段２９５にてコンテンツへのアクセス時間が変更基準時間Ｒ以上であることを認識した場合、アクセス処理が実施されたと判断する構成について例示したが、これに限らず例えば以下のような構成などとしてもよい。すなわち、アクセス制御手段２９４にて再生要求情報や編集要求情報などを取得したことを認識した場合に、アクセス時間にかかわらずアクセス処理が実施されたと判断する構成などとしてもよい。このような構成にすれば、一実施の形態の構成や変形例の構成におけるコンテンツのアクセス処理のステップＳ４０５の処理を省略でき、コンテンツへのアクセス処理をより迅速にできる。また、アクセス状況認識手段２９５の処理負荷を減らすことができる。
【０１０７】
コンテンツ管理手段２９６にて自動消去対象のコンテンツへのアクセス回数がＬ回以上であることを認識した場合、このコンテンツを自動消去の対象から外す構成について例示したが、このような機能を設けない構成としてもよい。このような構成の場合、コンテンツ管理手段２９６は、ステップＳ５０６でアクセス回数がＬ回以上であると判断した場合、ステップＳ５０１の処理を実施する。このため、ステップＳ５０７の処理を省略でき、コンテンツの管理処理をより迅速にできる。また、コンテンツ管理手段２９６にコンテンツを自動消去の対象から外す機能を設ける必要がなくなるので構成を簡略化でき、記録再生装置２００のコストを削減できる。さらに、コンテンツ管理手段２９６の処理負荷を減らすことができる。
【０１０８】
コンテンツ管理手段２９６にて自動消去対象のコンテンツへのアクセス処理が予め設定された処理であることを認識した場合、このコンテンツを自動消去の対象から外す構成などとしてもよい。具体的には、例えばアクセス処理が編集処理の場合、このコンテンツを自動消去対象から外す構成などとしてもよい。このような構成にすれば、利用者は、例えば嗜好に合うコンテンツを編集するだけで、このコンテンツを自動消去の対象から外すことができ、特別な設定入力を実施する必要がない。したがって、記録再生装置２００の使い勝手をより向上できる。
【０１０９】
コンテンツ管理手段２９６にて自動消去対象のコンテンツへのアクセス処理が予め設定された非消去基準時間以上であることを認識した場合、このコンテンツを自動消去の対象から外す構成などとしてもよい。このような構成にすれば、利用者は、例えば嗜好に合うコンテンツを非消去基準時間以上再生するだけで、このコンテンツを自動消去の対象から外すことができ、特別な設定入力を実施する必要がない。したがって、記録再生装置２００の使い勝手をさらに向上できる。
【０１１０】
コンテンツ管理手段２９６にて残存時間情報６１３により示される残存時間が予め設定された規定時間Ｋ以上であることを認識した場合、この残存時間情報６１３を有するコンテンツ管理情報６１０に対応するコンテンツを自動消去の対象から外す構成などとしてもよい。このような構成にすれば、利用者は、例えば嗜好に合うコンテンツへのアクセス回数を増やすだけで、このコンテンツを自動消去の対象から外すことができ、特別な設定入力を実施する必要がない。したがって、記録再生装置２００の使い勝手をさらに向上できる。
【０１１１】
例えば、出力装置３００を本発明の報知手段として機能させる。そして、アクセス制御手段２９４を本発明の報知制御手段として機能させ、例えばコンテンツへのアクセス処理を実施する際に残存時間情報６１３に基づいて、出力装置３００に残存時間を出力させる構成などとしてもよい。また、利用者による設定入力に基づいて、自動消去対象となっている各コンテンツの残存時間を出力装置３００に出力させる構成などとしてもよい。このような構成にすれば、記録再生装置２００は、利用者にアクセスしているコンテンツが自動消去されるまでの残存時間を容易に認識させることができる。したがって、記録再生装置２００の利便性をより向上できる。
【０１１２】
手動予約録画されたコンテンツを自動消去の対象としない構成について例示したが、これに限らず自動消去の対象とする構成としてもよい。このような構成にすれば、記録再生装置２００は、手動予約録画したコンテンツをアクセス処理状況に基づいて適宜自動消去できる。したがって、記録再生装置２００の利便性をさらに向上できる。
【０１１３】
本発明の処理制御装置やデータ処理装置をコンテンツデータを記憶させる記録再生装置２００に適用した構成について例示したが、これに限られない。例えば、データとしては、ＴＶ放送番組の他、ラジオ放送番組、衛星放送番組、さらにはネットワークを介して配信される音楽データや映像データ、アプリケーションソフトウェア、ゲームソフトウェア、各種制御プログラムなども対象とすることができる。また、記録再生装置２００に適用した構成に限らず、データを記録するのみの記録装置、さらには記録装置や記録再生装置２００に記録されたデータを適宜消去させる独立した処理制御装置とするなどとしてもよい。
【０１１４】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１１５】
その他、本発明の実施の際の具体的な構造および手順は、本発明の目的を達成できる範囲で他の構造などに適宜変更できる。
【０１１６】
［実施形態の作用効果］
上述したように、上記実施形態では、記録再生装置２００のＣＰＵ２９０は、録画制御手段２９２にて、予約情報５２０により予約されたコンテンツのＨＤＤ２７０への録画処理を開始する。そして、ＣＰＵ２９０は、コンテンツの録画処理を終了すると、管理情報生成手段２９３にて、このコンテンツをＨＤＤ２７０から自動消去するまでの残存時間を予め設定された時間Ｚに設定し、この残存時間が記載された残存時間情報６１３を生成する。さらに、期間計時開始日時を録画終了日時に設定し、この期間計時開始日時に関する期間計時開始情報６１４を生成する。この後、ＣＰＵ２９０は、コンテンツ管理手段２９６にて、期間計時開始日時からの経過時間が期間Ｔ以上となったことを認識すると、アクセス制御手段２９４によるコンテンツへのアクセス処理が実施されたか否かを判断する。そして、アクセス処理が実施されたと判断した場合、残存時間情報６１３により示される残存時間に追加時間Ｇを加えるとともに、期間計時開始情報６１４の期間計時開始日時を残存時間の変更処理を実施した日時に設定する。一方、アクセス処理が実施されていないと判断した場合、残存時間情報６１３により示される残存時間から期間Ｔを減じるとともに、期間計時開始情報６１４の期間計時開始日時を残存時間の変更処理を実施した日時に設定する。この後、コンテンツ管理手段２９６は、期間計時開始日時から期間Ｔが経過する毎に上述した処理を実施して、残存時間が０以下になったことを認識すると、このコンテンツをＨＤＤ２７０から自動消去する。
【０１１７】
このため、記録再生装置２００は、例えば再生されたコンテンツが自動消去されるまでの期間を未再生のコンテンツと比べて長く設定できる。したがって、利用者は、例えば再生を要求する設定入力を実施するだけで、コンテンツが自動消去されるまでの期間を再生要求前と比べて長くすることができ、この期間を長くする特別な設定入力を実施する必要がない。また、例えば再生されたコンテンツが自動消去されるまでの期間が未再生のコンテンツと比べて長く設定されるため、例えば利用者の嗜好に合うコンテンツの予期せぬ自動消去を従来の構成と比べて防ぐことができる。よって、記録再生装置２００は、コンテンツを適切に消去できる。
【図面の簡単な説明】
【０１１８】
【図１】本発明の一実施の形態に係るコンテンツ記録再生システムの概略構成を示すブロック図である。
【図２】前記一実施の形態における録画予約リスト情報の概略構成を示す模式図である。
【図３】前記一実施の形態におけるコンテンツ管理リスト情報の概略構成を示す模式図である。
【図４】前記一実施の形態における記録再生装置を構成するＣＰＵの概略構成を示す模式図である。
【図５】前記一実施の形態における手動録画予約処理を示すフローチャートである。
【図６】前記一実施の形態における自動録画予約処理を示すフローチャートである。
【図７】前記一実施の形態における予約録画処理を示すフローチャートである。
【図８】前記一実施の形態におけるコンテンツへのアクセス処理を示すフローチャートである。
【図９】前記一実施の形態におけるコンテンツの管理処理を示すフローチャートである。
【図１０】本発明の他の実施の形態に係るコンテンツへのアクセス処理を示すフローチャートである。
【図１１】前記他の実施の形態におけるコンテンツの管理処理を示すフローチャートである。
【符号の説明】
【０１１９】
２７０    記憶手段としてのハードディスク
２９０    演算手段としてのＣＰＵ
２９１    データ処理装置を構成する、データ関連情報取得手段、文字情報取得手段および記憶要求情報取得手段としても機能する録画予約設定手段
２９２    データ処理装置を構成するデータ記録制御手段としての録画制御手段
２９３    処理制御装置およびデータ処理装置を構成する、記憶日時取得手段および保存期間取得手段としても機能する管理情報生成手段
２９４    報知制御手段としても機能しうる、処理実施手段としてのアクセス制御手段
２９５    処理制御装置およびデータ処理装置を構成する処理状況認識手段としてのアクセス状況認識手段
２９６    処理制御装置およびデータ処理装置を構成する、データ消去手段、保存期間変更手段および消去制御手段としても機能するコンテンツ管理手段
２９７    データ処理装置を構成する計時手段
３００    報知手段としての機能しうる出力装置
６１２    データ属性情報としての自動消去対象フラグ
６１３    データ保存期間情報としても機能する残存時間情報
Ｇ    所定期間として追加時間
Ｍ，Ｌ  所定回数
Ｒ    変更基準時間
【図１】
2005346827.tif 000003
【図２】
2005346827.tif 000004
【図３】
2005346827.tif 000005
【図４】
2005346827.tif 000006
【図５】
2005346827.tif 000007
【図６】
2005346827.tif 000008
【図７】
2005346827.tif 000009
【図８】
2005346827.tif 000010
【図９】
2005346827.tif 000011
【図１０】
2005346827.tif 000012
【図１１】
2005346827.tif 000013